(57)【要約】【課題】走行以外にも楽しさや面白さを遊戯者に感じさせることができる走行玩具を提供する。【解決手段】走行玩具１０は、外部から押圧可能な押圧部３３と、当該押圧部３３が押圧されたときに外部に突出可能な突出部３４とを有する本体ユニット３０を備えており、走行中等において押圧部３３が押圧されたタイミングで突出部３４を突出させて走行玩具１０の姿勢を変化させることができる。【選択図】図１
2019130232.tif 000002
【特許請求の範囲】
【請求項１】
走行玩具であって、
走行ユニットを装着可能な本体ユニットを備えており、
前記本体ユニットは、外部から押圧可能な押圧部と、前記押圧部が押圧されたときに外部に突出可能な突出部とを備えている、
走行玩具。
【請求項２】
前記押圧部は、第１弾性部材による付勢に基づいて前記本体ユニットから突出している、
請求項１に記載の走行玩具。
【請求項３】
前記突出部は、第２弾性部材による付勢に基づいて前記本体ユニットから突出可能に構成されている、
請求項１または２に記載の走行玩具。
【請求項４】
前記本体ユニットには、前記押圧部が押圧されていないときに前記突出部の突出を規制し、かつ、前記押圧部が押圧されたときに前記突出部の突出を許容する第１動作制御部が設けられている、
請求項１〜３のいずれか１項に記載の走行玩具。
【請求項５】
前記押圧部は、前記本体ユニットの下面以外の部位に設けられている、
請求項１〜４のいずれか１項に記載の走行玩具。
【請求項６】
前記突出部は、前記本体ユニットの下面から突出可能に設けられている、
請求項１〜５のいずれか１項に記載の走行玩具。
【請求項７】
前記本体ユニットは、外観が略直方体状を成している、
請求項１〜６のいずれか１項に記載の走行玩具。
【請求項８】
前記本体ユニットの少なくとも一部を覆う外装ユニットをさらに備えており、
前記本体ユニットには、前記外装ユニットを装着可能な装着部が設けられている、
請求項１〜７のいずれか１項に記載の走行玩具。
【請求項９】
前記本体ユニットには、前記押圧部が押圧されていないときに前記装着部への前記外装ユニットの装着を維持し、かつ、前記押圧部が押圧されたときに前記装着部への前記外装ユニットの装着を解除する第２動作制御部が設けられている、
請求項８に記載の走行玩具。
【請求項１０】
前記装着部は、第３弾性部材による付勢に基づいて前記外装ユニットの装着を維持した状態から前記外装ユニットの装着を解除した状態に変化可能に構成されている、
請求項９に記載の走行玩具。
【請求項１１】
前記本体ユニットには、前記外装ユニットの装着を解除された状態にある前記装着部を前記外装ユニットの装着が可能な状態に変化させる操作部が設けられている、
請求項９または１０に記載の走行玩具。
【請求項１２】
前記操作部は、前記本体ユニットの上面に設けられている、
請求項１１に記載の走行玩具。
【請求項１３】
前記外装ユニットは、前記本体ユニットの異なる位置を覆う複数個が用意されており、
前記装着部は、複数個の前記本体ユニットが装着可能な同数の個別装着部を含んでいる、
請求項８〜１２のいずれか１項に記載の走行玩具。
【請求項１４】
複数個の前記外装ユニットは、前記個別装着部それぞれに装着された状態で前記本体ユニットの下面以外を被覆可能に構成されている、
請求項１３に記載の走行玩具。
【請求項１５】
前記走行ユニットは、略直方体状を成しており、
前記本体ユニットには、前記走行ユニットの外形に対応した内形で、かつ、下面を開放した走行ユニット用の収容部が形成されている、
請求項１〜１４のいずれか１項に記載の走行玩具。
【請求項１６】
前記収容部は、前記走行ユニットを４種類の向きで選択的に収容可能に構成されている、
請求項１５に記載の走行玩具。
【請求項１７】
前記本体ユニットには、前記収容部に前記走行ユニットを収容するとき、及び前記収容部に収容されている前記走行ユニットを当該収容部から取り出すときに用いられる溝部が形成されている、
請求項１〜１６のいずれか１項に記載の走行玩具。
【請求項１８】
前記走行ユニットは、走行駆動源と、前記走行駆動源によって駆動される車輪を少なくとも有している、
請求項１〜１７のいずれか１項に記載の走行玩具。
【請求項１９】
請求項１〜１８のいずれか１項に記載の少なくとも２台の走行玩具と、当該走行玩具用の走行盤とを備えている、
ゲームシステム。
【請求項２０】
前記走行盤は、２台以上の前記走行玩具を走行可能に構成されている、
請求項１９に記載のゲームシステム。
【請求項２１】
前記走行盤は、前記走行玩具の走行を許容する走行エリアを備えている、
請求項１９または２０に記載のゲームシステム。
【発明の詳細な説明】
【技術分野】
【０００１】
本発明は、走行玩具と、当該走行玩具を含むゲームシステムに関する。
【背景技術】
【０００２】
後記特許文献１には、駆動機構と制御機構とを備え、制御機構による駆動機構の制御に基づいて所望の走行経路にて走行可能な走行玩具本体が開示されている。しかしながら、この走行玩具本体は走行経路に趣向を凝らしたものであるため、走行以外にも楽しさや面白さを遊戯者に感じさせることは難しい。
【先行技術文献】
【特許文献】
【０００３】
【特許文献１】特開２００３−２４５４７６号公報
【発明の概要】
【発明が解決しようとする課題】
【０００４】
本発明が解決しようとする課題は、走行以外にも楽しさや面白さを遊戯者に感じさせることができる走行玩具と、当該走行玩具を用いて今までにない楽しさと面白さを遊戯者に感じさせることができるゲームシステムを提供することにある。
【課題を解決するための手段】
【０００５】
本発明に係る走行玩具は、走行ユニットを装着可能な本体ユニットを備えており、前記本体ユニットは、外部から押圧可能な押圧部と、前記押圧部が押圧されたときに外部に突出可能な突出部とを備えている。一方、本発明に係るゲームシステムは、前掲の走行玩具と、当該走行玩具用の走行盤とを備えている。
【発明の効果】
【０００６】
本発明に係る走行玩具によれば、走行以外にも楽しさや面白さを遊戯者に感じさせることができる。また、本発明に係るゲームシステムによれば、前掲の走行玩具を用いて今までにない楽しさと面白さを遊戯者に感じさせることができる。
【図面の簡単な説明】
【０００７】
【図１】図１は本発明を適用した走行玩具の上面図である。
【図２】図２は図１に示した走行玩具の左面図である。
【図３】図３は図１に示した走行玩具の後面図である。
【図４】図４は図１に示した走行玩具の下面図である。
【図５】図５（Ａ）〜図５（Ｃ）は図１〜図４に示した走行ユニットの上面図と左面図と下面図である。
【図６】図６（Ａ）〜図６（Ｃ）は図１〜図４に示した本体ユニットの上面図と左面図と下面図である。
【図７】図７（Ａ）は図６のＳ１−Ｓ１線断面図、図７（Ｂ）は図７（Ａ）の要部拡大図（装着状態を示す）である。
【図８】図８は図６に示した本体ユニットを構成する下側ユニットの上面図である。
【図９】図９は図６に示した本体ユニットを構成する上側ユニットの下面図である。
【図１０】図１０は図６に示した本体ユニットの機能の説明図である。
【図１１】図１１（Ａ）と図１１（Ｂ）は図１〜図４に示した第１外装ユニットの上面図と左面図である。
【図１２】図１２（Ａ）と図１２（Ｂ）は図１〜図４に示した第２外装ユニットの上面図と後面図である。
【図１３】図１３（Ａ）と図１３（Ｂ）は図１〜図４に示した第３外装ユニットの上面図と後面図である。
【図１４】図１４（Ａ）と図１４（Ｂ）は図１〜図４に示した走行玩具の組立方法例の説明図である。
【図１５】図１５（Ａ）と図１５（Ｂ）は図１〜図４に示した走行玩具の組立方法例の説明図である。
【図１６】図１６は図１〜図４に示した走行玩具の遊具方法例の説明図である。
【図１７】図１７は図１〜図４に示した走行玩具の遊具方法例の説明図である。
【図１８】図１８は図１〜図４に示した走行玩具の遊具方法例の説明図である。
【図１９】図１９は本発明を適用したゲームシステムの上面図である。
【発明を実施するための形態】
【０００８】
以下の説明では、便宜上、図１（Ａ）の左を前、右を後、下を左、上を右、手前側を上、奥側を下と表記し、他の図についてもこれに準じて向きを表記する。
【０００９】
まず、図１〜図１３を用いて、本発明を適用した走行玩具１０の構成について説明する。走行玩具１０は、図１〜図４に示したように、走行ユニット２０と、本体ユニット３０と、第１外装ユニット４０と、第２外装ユニット５０と、第３外装ユニット６０と、を備えている。
【００１０】
走行ユニット２０は、図５に示したように、略直方体状のケース部２１と、ケース部２１の内部に設けられた走行駆動源（例えばモータ）２２と、動力伝達機構（例えば歯車機構）２３と、計２個の車輪２４と、充電池２５と、傾斜センサ（不図示）を少なくとも備えている。ケース部２１の上面視形状は略正方形であり、前面と後面と左面と右面の形は略同じである。
【００１１】
また、ケース部２１の下面には、各車輪２４の一部が突出する下面視形状が略矩形の計２個の孔部２１ａと、走行補助用の略半球状の突起部２１ｂ（非駆動の車輪でも可）と、電源スイッチ２６と、充電用のソケット２７が設けられている。すなわち、電源スイッチ２６をオンにすることにより、走行駆動源２２の動力を動力伝達機構２３を介して各車輪２４に伝えることができるようになっている。
【００１２】
本体ユニット３０は、図６に示したように、相互接続された状態で外観が略直方体状を成す下側ユニット３１および上側ユニット３２と、押圧部３３と、計２個の突出部３４と、装着部３５と、操作部３６とを備えている。
【００１３】
下側ユニット３１には、図７および図８に示したように、走行ユニット２０の外形に対応した略直方体状の内形で、かつ、下面を開放した走行ユニット２０用の収容部３１ａが設けられている。詳しく述べれば、収容部３１ａの前後方向寸法と左右方向寸法と上下方向寸法は、走行ユニット２０の収容および取り出しが行えるように、走行ユニット２０の前後方向寸法と左右方向寸法と上下方向寸法よりも僅かに小さい。
【００１４】
すなわち、下側ユニット３１の収容部３１ａは、走行ユニット２０を収容して装着できるようになっている。また、図５に示した走行ユニット２０はその上面視形状が略正方形であるため、収容部３１ａは、走行ユニット２０を４種類の向き（走行ユニット２０の前面が図７の左、右、手前、奥に位置する４種類の向き）で選択的に収容して装着できるようにもなっている。ちなみに、走行ユニット２０を本体ユニット３０の収容部３１ａに装着した状態では、当該走行ユニット２０の各車輪２４の一部と突起２１ｂが本体ユニット３０の下面から突出する（図１４（Ｂ）を参照）。
【００１５】
また、下側ユニット３１の左面と右面には、左面視形状と右面視形状が略Ｕ字形の計２個の溝部３１ｂが互いに向き合うように形成されている。各溝部３１ｂは、収容部３１ａに走行ユニット２０を収容するとき、及び収容部３１ａに収容されている走行ユニット２０を当該収容部３１ａから取り出すときに指先を挿入する部位となっている。
【００１６】
さらに、下側ユニット３１の後面には、下側ユニット３１と上側ユニット３２を接続した状態で、押圧部３３が配置される後面視形状が略コ字形の溝部３１ｃが形成されている。さらに、下側ユニット３１の後部内側には、各突出部３４の上下方向変位を許容する横断面形状が略矩形の凹部３１ｄが形成され、当該凹部３１ｄの下部には、各突出部３４の上下方向変位を案内する横断面形状が略矩形の計２個の孔部３１ｅが形成されている。
【００１７】
さらに、下側ユニット３１の前部上面には、後記第２可動部３３ｂの前後方向変位を許容する縦断面形状が略矩形の溝部３１ｆが形成されているとともに、後記支柱部３５ｃの上下方向変位を許容する横断面形状が略矩形の凹部３１ｇが当該溝部３１ｆと連続して形成されている。
【００１８】
さらに、下側ユニット３１の前部上面には、計３個の縦断面形状が略矩形の溝部３１ｈが後記個別装着部３５ａに対応して形成されており、各溝部３１ｈは下側ユニット３１の前面と左面と右面それぞれで開放している。図７から分かるように、各溝部３１ｈは、下側ユニット３１に上側ユニット３２を接続した状態で、後記各差込部４２、５２および６２（図１１〜図１３を参照）の差し込みを可能とした差込口（以下、差込口３１ｈと言う）を構成する。
【００１９】
さらに、下側ユニット３１の前部上面には、嵌め合いによって上側ユニット３２との相互接続を行う凹部または凸部の一方３１ｉが計４個設けられている。
【００２０】
上側ユニット３２には、図７および図９に示したように、下側ユニット３１と上側ユニット３２を接続した状態で、押圧部３３が配置される後面視形状が略コ字形の溝部３２ａが形成されている。また、上側ユニット３２の後部内側には、各突出部３４の上下方向変位を案内する横断面形状が略円形の計２個の棒状部３２ｂが設けられている。
【００２１】
さらに、上側ユニット３２の前部上面には、操作部３６が配置される上面視形状が略円形の孔部３２ｃが形成されている。さらに、上側ユニット３２の前部下面には、嵌め合いによって下側ユニット３１との相互接続を行う凹部または凸部の他方３２ｄが計４個形成されている。
【００２２】
押圧部３３は、図７および図８に示したように、略直方体状で前部周囲に鍔部（符号省略）が設けられている。また、押圧部３３の前面には、上面視形状が略コ字形の第１可動部３３ａが設けられているとともに、第１可動部３３ａの前端中央から前方に延びる上面視形状が略矩形の第２可動部３３ｂが当該第１可動部３３ａと連続して設けられている。さらに、第２可動部３３ｂの前部は縦断面形状が略Ｌ字形となっていて、当該略Ｌ字形の部分の上部後面には縦断面形状が略直角三角形の係合部３３ｃが設けられている。
【００２３】
図７に示した状態において、押圧部３３は、下側ユニット３１の溝部３１ｃと上側ユニット３２の溝部３２ａによって構成された後面視形状が略矩形の孔部（符号省略）に前後方向変位可能に配置され、第１弾性部材ＥＭ１（例えば圧縮バネ）によって後方に付勢されており、その抜け出しを鍔部によって防止されている。すなわち、図７に示した状態にあっては、押圧部３３は第１弾性部材ＥＭ１による付勢に基づいてその後部を本体ユニット３０の後面から後方に突出しているため、図１０に示したように、外部から押圧可能である。
【００２４】
各突出部３４は、図７および図８に示したように、横断面形状が略矩形であり、各々の上端部前面には縦断面形状が略直角三角形の係合部３４ａが設けられている。また、各突出部３４には、上端から下方に向かって横断面形状が略円形の穴部３４ｂが形成されており、各穴部３４ｂには、第２弾性部材ＥＭ２（例えば圧縮バネ）が収容されている。さらに、各突出部３４には、各々の下方変位を規制する鍔部３４ｃが設けられている。
【００２５】
図７に示した状態において、各突出部３４の下部は各孔部３１ｅに挿入され、各突出部３４の穴部３４ｂに各棒状部３２ｂが挿入されているとともに、各突出部３４の係合部３４ａが押圧部３３の第１可動部３３ａの上面に係合している。すなわち、図７に示した状態にあっては、各第２弾性部材ＥＭ２の付勢力が各突出部３４に下向きに作用しているものの、各々の係合部３４ａが押圧部３３の第１可動部３３ａの上面に係合しているため、各突出部３４は本体ユニット３０の下面から突出していない。一方、押圧部３３の突出部分が前方に押されると、図１０に示したように、第１可動部３３ａに対する各係合部３４ａの係合が解除され、各突出部３４は、各第２弾性部材ＥＭ２の付勢力に基づいて、各々の鍔部３４ｃが各孔部３１ｅの上端に接する位置まで下方変位し、各突出部３４の下部が本体ユニット３０の下面から下方に突出する。
【００２６】
ちなみに、押圧部３３の第１可動部３３ａの上面と各突出部３４の係合部３４ａは、押圧部３３の突出部分が押圧されていないときに本体ユニット３０の下面からの各突出部３４の突出を規制し、かつ、押圧部３３の突出部分が押圧されたときに本体ユニット３０の下面からの各突出部３４の突出を許容する第１動作制御部（符号省略）を構成している。
【００２７】
装着部３５は、図７および図８に示したように、上面視形状が略Ｔ字形を成しており、前と左と右それぞれに上面視形状が略矩形の個別装着部３５ａを備えており、各個別装着部３５ａの先端部下面には縦断面形状が略直角三角形の係合部３５ｂが設けられている。ちなみに、各個別装着部３５ａは、本体ユニット３０に対する各外装ユニット４０、５０および６０の装着を司る部位である。また、装着部３５の下面には横断面形状が略矩形の支柱部３５ｃが設けられており、当該支柱部３５ｃの中央には横断面形状が略矩形の孔部３５ｄが形成されている。さらに、支柱部３５ｃには、第２可動部３３ｂに対する相対的な上下方向変位を許容する後面視形状が略コ字形の溝部３５ｅが孔部３５ｄと連続して形成されている。さらに、装着部３５は、下側ユニット３１との間に配置された第３弾性部材ＥＭ３（例えば圧縮バネ、図示省略）によって上方に付勢されている。
【００２８】
図７に示した状態において、装着部３５の支柱部３５ｃは凹部３１ｇに挿入され、支柱部３５ｃの孔部３５ｄに第２可動部３３ｂのＬ字形の部分が挿入されているとともに、第２可動部３３ｂの係合部３３ｃが装着部３５の上面（孔部３５ｄの上端周囲）に係合している。すなわち、図７に示した状態にあっては、第３弾性部材ＥＭ３の付勢力が装着部３５に上向きに作用しているものの、係合部３３ｃが装着部３５の上面に係合しているため、各個別装着部３５ａはその下面を下側ユニット３１の上面に接している。一方、押圧部３３の突出部分が前方に押されると、図１０に示したように、装着部３５の上面に対する第２可動部３３ｂの係合部３３ｃの係合が解除され、装着部３５は、第３弾性部材ＥＭ３の付勢力に基づいて、操作部３６を持ち上げるように、かつ、操作部３６の上方変位が規制される位置まで上方変位し、各個別装着部３５ａの下面が下側ユニット３１の上面から上方変位する。
【００２９】
つまり、装着部３５は、第３弾性部材ＥＭ３による付勢に基づいて各外装ユニット４０、５０および６０の装着を維持した状態から当該外装ユニット４０、５０および６０の装着を解除した状態に変化可能に構成されている。
【００３０】
ちなみに、押圧部３３の第２可動部３３ｂの係合部３４ｃと装着部３５の上面は、押圧部３３の突出部分が押圧されていないときに装着部３５の各個別装着部３５ａへの各外装ユニット４０、５０および６０の装着を維持し、かつ、押圧部３３の突出部分が押圧されたときに装着部３５の各個別装着部３５ａへの各外装ユニット４０、５０および６０の装着を解除する第２動作制御部（符号省略）を構成している。
【００３１】
操作部３６は、図７および図９に示したように、外観が略円盤状で下部周囲に鍔部（符号省略）を設けている。図７に示した状態において、操作部３６は、上側ユニット３２の孔部３２ｃに上下変位可能に配置され、その下面を装着部３５の上面に接している。すなわち、図７に示した状態にあっては、装着部３５の下面が下側ユニット３１の上面に接しているため、操作部３６は本体ユニット３０の上面から突出していない。一方、押圧部３３の突出部分が前方に押されると、図１０に示したように、第３弾性部材ＥＭ３の付勢力に基づく装着部３５の上方変位に伴って、その鍔部が上側ユニット３２の内面によって規制される位置まで上方変位し、その上部が本体ユニット３０の上面から上方に突出する。
【００３２】
また、操作部３６は、各外装ユニット４０、５０および６０の装着が解除された状態にある装着部３５を、各外装ユニット４０、５０および６０の装着が可能な状態に変化させることもできる。
【００３３】
なお、操作部３６は装着部３５の上方変位を規制する役目を果たしているが、上側ユニット３５の内側に別途突起等を設けて当該突起等によって装着部３５の上方変位を規制するようにしてもよい。また、操作部３６を下方に付勢する弾性部材（例えば圧縮バネ）を別途設ければ、押圧部３３の突出部分が前方に押されていないときに、操作部３６が本体ユニット３０の上面から突出していない状態を維持することもできる。
【００３４】
第１外装ユニット４０は、図１１に示したように、前面部分と上面部分とが連続した縦断面形状が略Ｌ字形の被覆部４１と、被覆部４１の前面部分の後面に設けられた第１差込部４２とを有している。
【００３５】
被覆部４１の前面部分の後面は平らで、当該前面部分の後面の左右方向寸法は本体ユニット３０の前面の左右方向寸法よりも大きく、かつ、上下方向寸法は本体ユニット３０の前面の上下方向寸法と略同じである。また、上面部分の下面は平らで、当該上面部分の下面の前後方向寸法は本体ユニット３０の上面の前後方向寸法よりも小さく、かつ、左右方向寸法は本体ユニット３０の上面の左右方向寸法と略同じである。さらに、被覆部４１の上面部分には、第１外装ユニット４０を本体ユニット３０に装着したときに当該本体ユニット３０の操作部３６が露出可能な孔部４１ａが形成されている。
【００３６】
第１差込部４２は、略直方体状で、前後方向寸法、左右方向寸法および上下方向寸法のそれぞれは、本体ユニット３０の前面に在る差込口３１ｈの前後方向寸法、左右方向寸法および上下方向寸法よりも僅かに小さい。また、第１差込部４２の上面には、装着部３５の前側の個別装着部３５ａの係合部３５ｂが係合可能な係合凹部４２ａが形成されている。
【００３７】
すなわち、第１外装ユニット４０は、被覆部４１の前面部分によって本体ユニット３０の前面を覆うことができ、かつ、被覆部４１の上面部分によって本体ユニット３０の上面の後部を除く領域を覆うことができるとともに、第１差込部４２を本体ユニット３０の前面に在る差込口３１ｈに差し込むことができる。
【００３８】
第２外装ユニット５０は、図１２に示したように、略直方体状の被覆部５１と、被覆部５１の右面に設けられた第２差込部５２と、被覆部５１の左面の前後位置に設けられた計２個の装飾部５３および５４とを備えている。
【００３９】
被覆部５１の前後方向寸法は本体ユニット３０の左面の前後方向寸法よりも小さく、上下方向寸法は本体ユニット３０の左面の上下方向寸法と略同じであり、左右方向寸法（厚さ）は第１外装ユニット４０の被覆部４１の前面部分の左右方向寸法から本体ユニット３０の前面の左右方向寸法を減じた値の１／２に略一致している。
【００４０】
第２差込部５２は、略直方体状で、前後方向寸法、左右方向寸法および上下方向寸法のそれぞれは、本体ユニット３０の左面に在る差込口３１ｈの前後方向寸法、左右方向寸法および上下方向寸法よりも僅かに小さい。また、第２差込部５２の上面には、装着部３５の左側の個別装着部３５ａの係合部３５ｂが係合可能な係合凹部５２ａが設けられている。
【００４１】
すなわち、第２外装ユニット５０は、本体ユニット３０の左面の後部を除く領域を覆うことができるとともに、第２差込部５２を本体ユニット３０の左面に在る差込口３１ｈに差し込むことができる。
【００４２】
第３外装ユニット６０は、図１３に示したように、略直方体状の被覆部６１と、被覆部６１の左面に設けられた第３差込部６２と、被覆部６１の右面の前後位置に設けられた計２個の装飾部６３および６４とを備えている。
【００４３】
被覆部６１の前後方向寸法は本体ユニット３０の右面の前後方向寸法よりも小さく、上下方向寸法は本体ユニット３０の右面の上下方向寸法と略同じであり、左右方向寸法（厚さ）は第１外装ユニット４０の被覆部４１の前面部分の左右方向寸法から本体ユニット３０の前面の左右方向寸法を減じた値の１／２に略一致している。
【００４４】
第３差込部６２は、略直方体状で、前後方向寸法、左右方向寸法および上下方向寸法のそれぞれは、本体ユニット３０の右面に在る差込口３１ｈの前後方向寸法、左右方向寸法および上下方向寸法よりも僅かに小さい。また、第３差込部６２の上面には、装着部３５右側の個別装着部３５ａの係合部３５ｂが係合可能な係合凹部５２ａが形成されている。
【００４５】
すなわち、第３外装ユニット６０は、本体ユニット３０の右面の後部を除く領域を覆うことができるとともに、第３差込部６２を本体ユニット３０の右面に在る差込口３１ｈに差し込むことができる。
【００４６】
次に、図７、図１０、図１４および図１５を用いて、図１〜図４に示した走行玩具１０の組立方法例について説明する。ここで説明する組立方法はあくまでも一例を示すものであって、走行玩具１０の組立方法を制限するものではない。
【００４７】
最初に、図７に示した状態の本体ユニット３０を用意する。本体ユニット３０が図１０に示した状態にあるときには、各突出部３４の突出部分を指先で押し込み、かつ、操作部３６の突出部分を指先で押し込んで、本体ユニット３０を図７に示した状態とする。
【００４８】
そして、図１４（Ａ）に示したように、走行ユニット２０の上面を本体ユニット３０の収容部３１ａの下面に向き合わせた後、走行ユニット２０を矢印方向に動かして当該走行ユニット２０を本体ユニット３０の収容部３１ａに収容して装着する。図１４（Ｂ）から分かるように、走行ユニット２０を本体ユニット３０の収容部３１ａに装着した状態では、当該走行ユニット２０の各車輪２４の一部と突起２１ｂが本体ユニット３０の下面から突出する
【００４９】
そして、図１５（Ａ）に示したように、第１外装ユニット４０の被覆部４１の前面部分の後面を本体ユニット３０の前面に向きを合わせるとともに、第１差込部４２を本体ユニット３０の前面に在る差込口３１ｈに向きを合わせた後、第１外装ユニット４０を矢印方向に動かして第１差込部４２を本体ユニット３０の前面に在る差込口３１ｈに差し込む。第１外装ユニット４０の前面部分の後面が本体ユニット３０の前面に近接または接触すると、第１外装ユニット４０の第１差込部４２の係合凹部４２ａに、装着部３５の前側の個別装着部３５ａの係合部３５ｂが弾性的に係合して装着が完了し、本体ユニット３０の前面と上面の後部を除く領域が第１外装ユニット４０によって覆われる。
【００５０】
そして、図１５（Ｂ）に示したように、第２外装ユニット５０の被覆部５１の右面を本体ユニット３０の左面に向きを合わせるとともに、第２差込部５２を本体ユニット３０の左面に在る差込口３１ｈに向きを合わせた後、第２外装ユニット５０を矢印方向に動かして第２差込部５２を本体ユニット３０の左面に在る差込口３１ｈに差し込む。第２外装ユニット５０の被覆部５１の右面が本体ユニット３０の左面に近接または接触すると、第２外装ユニット５０の第２差込部５２の係合凹部５２ａに、装着部３５の左側の個別装着部３５ａの係合部３５ｂが弾性的に係合して装着が完了し、本体ユニット３０の左面の後部を除く領域が第２外装ユニット５０によって覆われる。
【００５１】
そして、図１５（Ｂ）に示したように、第３外装ユニット６０の被覆部６１の左面を本体ユニット３０の右面に向きを合わせるとともに、第３差込部６２を本体ユニット３０の右面に在る差込口３１ｈに向きを合わせた後、第３外装ユニット６０を矢印方向に動かして第３差込部６２を本体ユニット３０の右面に在る差込口３１ｈに差し込む。第３外装ユニット６０の被覆部６１の左面が本体ユニット３０の右面に近接または接触すると、第３外装ユニット６０の第２差込部５２の係合凹部５２ａに、装着部３５の右側の個別装着部３５ａの係合部３５ｂが弾性的に係合して装着が完了し、本体ユニット３０の右面の後部を除く領域が第３外装ユニット６０によって覆われる。以上により、図１〜図４に示した走行玩具１０の組み立てが完了する。
【００５２】
次に、図１０および図１６〜図１８を用いて、図１〜図４に示した走行玩具１０の遊具方法例について説明する。ここで説明する遊戯方法はあくまでも一例を示すものであって、走行玩具１０の遊戯方法を制限するものではない。
【００５３】
遊戯に際しては、走行玩具１０を２台用意し、これらを走行面ＲＳ上に置き、各々の走行ユニット２０の電源スイッチ２６をオンにして走行面ＲＳ上で走行できるようにする。
【００５４】
走行面ＲＳ上を走行する２台の走行玩具１０が互いにぶつかって、図１６に示したように、一方の走行玩具１０の押圧部３３が他方の走行玩具１０の装飾部５３、５４、６３及び６４の何れかによって押圧されると、図１０に示したように、押圧部３３の第１可動部３３ａに対する各突出部３４の係合が解除されて、当該各突出部３４の下部が本体ユニット３０の下面から下方に突出するとともに、押圧部３３の第２可動部３３ａに対する装着部３５の係合が解除されて、各外装ユニット４０、５０および６０の各差込部４２、５２および６２の装着が解除される。
【００５５】
各突出部３４の下部が本体ユニット３０の下面から下方に突出すると、図１７に示したように、走行玩具１０の後部が勢いよく持ち上げられて姿勢が変化し、当該姿勢変化により各車輪２４が走行面ＲＳから離反して走行玩具１０は走行不能となる。また、各外装ユニット４０、５０および６０の各差込部４２、５２および６２の装着が解除されると、図１８に示したように、走行玩具１０の後部が持ち上がったときの衝撃も相俟って、各外装ユニット４０、５０および６０の各差込部４２、５２および６２が本体ユニット３０の各装着口３１ｈから抜け出して、各外装ユニット４０、５０および６０が本体ユニット３０から離反する。  
【００５６】
次に、前述の走行玩具１０によって得られる、主たる作用効果について説明する。
【００５７】
前述の走行玩具１０は、外部から押圧可能な押圧部３３と、当該押圧部３３が押圧されたときに外部に突出可能な突出部３４とを備える本体ユニット３０を備えているため、走行中等において押圧部３３が押圧されたタイミングで突出部３４を突出させて走行玩具１０の姿勢を変化させることができる。すなわち、走行の他、姿勢変化に基づく楽しさや面白さを遊戯者に感じさせることができる。
【００５８】
また、前述の走行玩具１０は、本体ユニット３０を覆う外装ユニット４０、５０および６０をさらに備え、本体ユニット３０には当該本体ユニット３０への外装ユニット４０、５０および６０の装着を維持とその解除を行う装着部３５が設けられているため、走行中等において押圧部３３が押圧されたタイミングで外装ユニット４０、５０および６０を本体ユニット３０から離反させることできる。すなわち、走行および姿勢変化の他、外装ユニット４０、５０および６０の離反に基づく楽しさや面白さを遊戯者に感じさせることができる。
【００５９】
さらに、例えば、一方の走行玩具１０と他方の走行玩具１０との対戦ゲームにおいて、傾斜センサにより姿勢変化を検知した方の走行玩具は、自己が負けたことを認識することができる。
【００６０】
次に、前記同様の作用効果が得られる、前述の走行玩具１０の変形例について説明する。
【００６１】
〈変形例１Ａ〉図１〜図１８には、押圧部３３を本体ユニット３０の後面に設けたものを示したが、本体ユニット３０の下面以外の部位に設けることも可能である。また、計２個の突出部３４を有する本体ユニット３０を示したが、玩具本体１０の姿勢を変更できれば、突出部３４の個数を１個または３個以上としてもよい。さらに、計２個の突出部３４を本体ユニット３０の下面から突出するように設けたものを示したが、玩具本体１０の姿勢を変更できれば、本体ユニット３０の下面以外の部位から突出するように設けることも可能である。さらに、本体ユニット３０の外観形状を略直方体状としたものを示したが、走行ユニットを装着可能であれば、本体ユニット３０の外観形状に特段の制限はない。
【００６２】
〈変形例１Ｂ〉図１〜図１８には、計３個の外装ユニット４０、５０および６０を備えたものを示したが、本体ユニット３０への装着とその解除が可能であれば、外装ユニットの個数を２個または１個としてもよい。また、本体ユニット３０への装着とその解除が可能であれば、計３個の外装ユニット４０、５０および６０の形態を他の形態に変更してもよいし、外装ユニット５０および６０の装飾部５３、５４、６３および６４の形態を他の形態に変更してもよい。この形態変更は外装ユニットの個数を２個または１個とした場合でも同様である。
【００６３】
〈変形例１Ｃ〉図１〜図１８には、電源スイッチ２６をオンにすることによる自走を可能とした走行ユニット２０を示したが、操縦信号（電波や光等）を受信可能な受信部と、受信した操縦信号に基づいて走行（前進、後進、左折、右折および停止等）を制御する走行制御部を走行ユニット２０に設けるともに、スティック操作等によって前記無線信号を送信可能な送信機を用意し、遊戯者が送信機を操作して走行玩具１０の走行を任意にコントロールできるようにしてもよい。
【００６４】
次に、図１９を用いて、本発明を適用したゲームシステムの構成について説明する。
【００６５】
ゲームシステムは、前述の走行玩具１０と、当該走行玩具１０用の走行盤１００とを備えている。走行盤１００は、少なくとも２台以上の走行玩具１０を走行できるように構成されており、走行玩具１０の走行を許容する走行エリア１０１を備えている。走行エリア１０１は、走行玩具１０が走行可能領域を制限する凹部や周囲を囲む壁等によって構成することができる。また、走行盤１００は、変形ができない硬質タイプの他、丸める等の変形を可能とした軟質タイプを利用できる。
【００６６】
次に、図１９を用いて、ゲームシステムの遊戯方法例について説明する。ここで説明する遊戯方法はあくまでも一例を示すものであって、ゲームシステムの遊戯方法を制限するものではない。
【００６７】
遊戯に際しては、床等に走行盤１００を敷設し、当該走行盤１００の走行エリア１０１に２台の走行玩具１０を置き、各々の走行ユニット２０の電源スイッチ２６をオンにして走行エリア１０１内で走行できるようにする。勿論、３台以上の走行玩具１０を走行エリア１０１内で走行させるようにしてもよい。
【００６８】
走行玩具１０は、走行エリア１０１内で走行しながら互いにぶつかり、このぶつかりによっていずれかの走行玩具１０の押圧部３３が押圧されると、先に述べた走行玩具１０の遊戯方法例と同様、当該走行玩具１０の姿勢が変化し、かつ、各外装ユニット４０、５０および６０が本体ユニット３０から離反する。
【００６９】
次に、前述のゲームシステムによって得られる、主たる作用効果について説明する。
【００７０】
前述のゲームシステムは、２台または３台以上の走行玩具１０と、当該走行玩具１０用の走行盤１００とを備えており、しかも、走行盤１００には走行玩具１０の走行を許容する走行エリア１０１が設けられているため、走行玩具１０と専用の走行盤１００とを用いることによって所期の遊戯を行うことができる。また、この遊戯では、走行の他、姿勢変化および外装ユニット４０、５０および６０の離反に基づいて、今までにない楽しさと面白さを遊戯者に感じさせることができる。
【００７１】
次に、前記同様の作用効果が得られる、前述のゲームシステムの変形例について説明する。
【００７２】
〈変形例２Ａ〉図１９には、図１〜図１８を用いて説明した走行玩具１０を示したが、当該走行玩具１０については先に述べた変形例１Ａ〜１Ｃが適宜採用可能である。
【００７３】
〈変形例２Ｂ〉図１９には、凹部や周囲を囲む壁等によって構成された走行エリア１０１を有する走行盤１００示したが、下記のような構成を採用すれば、表面が平らな走行盤を使用することも可能である。
【００７４】
すなわち、走行エリアに関する情報を持つ２次元コードを走行盤に設けるとともに、当該２次元コードを読み取り可能なコード読取部と、読み取った２次元コードの情報を解読な情報解読部と、解読された情報に基づいて走行（前進、後進、左折、右折および停止等）を制御する走行制御部を走行ユニットに設ければ、表面が平らな走行盤であっても走行玩具を走行エリア内で走行させることができる。
【００７５】
〈変形例２Ｃ〉前記変形例２Ｂのような構成を採用する場合には、走行エリア内を走行する走行玩具に走行異常（例えば強制停止や強制回転等）を生じさせるための情報を持つ２次元コードを走行盤に設けることも可能であり、このようにすれば当該２次元コードに走行玩具が差し掛かったときに走行異常を所定時間生じさせることもできる。
【符号の説明】
【００７６】
１０…走行玩具、２０…走行ユニット、２２…走行駆動源、２４…車輪、３０…本体ユニット、３１ａ…収容部、３１ｂ…溝部、３１ｈ…装着口、３３…押圧部、３３ａ…第１可動部、３３ｂ…第２可動部、３３ｃ…係合部、３４…突出部、３４ａ…係合部、３５…装着部、３５ａ…個別装着部、３５ｂ…係合部、３６…操作部、ＥＭ１，ＥＭ２，ＥＭ３…弾性部材、４０，５０，６０…外装ユニット、４２，５２，６２…差込部、１００…走行盤、１０１…走行エリア。
【図１】
2019130232.tif 000003
【図２】
2019130232.tif 000004
【図３】
2019130232.tif 000005
【図４】
2019130232.tif 000006
【図５】
2019130232.tif 000007
【図６】
2019130232.tif 000008
【図７】
2019130232.tif 000009
【図８】
2019130232.tif 000010
【図９】
2019130232.tif 000011
【図１０】
2019130232.tif 000012
【図１１】
2019130232.tif 000013
【図１２】
2019130232.tif 000014
【図１３】
2019130232.tif 000015
【図１４】
2019130232.tif 000016
【図１５】
2019130232.tif 000017
【図１６】
2019130232.tif 000018
【図１７】
2019130232.tif 000019
【図１８】
2019130232.tif 000020
【図１９】
2019130232.tif 000021